(57)【要約】【課題】機器の運転状態の確認を容易にし、機器の運転状態を停止状態にし忘れてしまうのを防止すること。【解決手段】集中管理システム１は、集中管理制御に非対応の機器２４，２５の運転状態を監視する電流センサ４３と、集中管理制御に対応の機器２１〜２３の運転状態を一括して停止状態にする一括停止機能のオン操作を検出すると、電流センサ４３の監視の結果に基づき、動作状態にある機器２４，２５をリストアップ表示する集中管理ユニット７とを備える。【選択図】図１
2016019150.tif 000002
【特許請求の範囲】
【請求項１】
集中管理制御に対応の機器の運転状態を一括して停止状態にする一括停止機能を有する集中管理システムであって、
集中管理制御に非対応の機器の運転状態を監視する電流センサと、
前記一括停止機能のオン操作を検出すると、前記電流センサの監視の結果に基づき、動作状態にある前記非対応の機器をリストアップ表示する集中管理ユニットと、
を備えることを特徴とする集中管理システム。
【請求項２】
前記集中管理ユニットは、
前記リストアップ表示する前記非対応の機器の機器名が、電流センサ毎に登録されている登録情報を有し、
この登録情報に基づいて、前記一括停止機能のオン操作を検出すると、動作状態にある前記非対応の機器の機器名をリストアップ表示することを特徴とする請求項１に記載の集中管理システム。
【請求項３】
前記登録情報には、前記非対応の機器毎に、前記リストアップして表示するか否かを設定可能であることを特徴とする請求項２に記載の集中管理システム。
【請求項４】
ＨＥＭＳまたはＢＥＭＳとして機能することを特徴とする請求項１から３のいずれか１つに記載の集中管理システム。
【発明の詳細な説明】
【技術分野】
【０００１】
本発明は、集中管理制御に非対応の機器の運転状態を通知する集中管理システムに関するものである。
【背景技術】
【０００２】
従来、住宅やビル等では、ＨＥＭＳ（Home Energy Management System）またはＢＥＭＳ（Building Energy Management System）に代表される集中管理システムによって、各機器の運転が集中管理されている。
【０００３】
このような集中管理システムとして、特許文献１には、集中管理ユニットであるパソコンが各機器の動作を集中管理し、外出する際に、パソコンが予め設定された機器の動作を一括して停止状態にする技術が開示されている。
【先行技術文献】
【特許文献】
【０００４】
【特許文献１】特開２００６−３５０８１９号公報
【発明の概要】
【発明が解決しようとする課題】
【０００５】
しかしながら、特許文献１に開示された技術は、集中管理ユニットの集中管理制御に対応の機器に限って有効であって、非対応の機器では無効である。したがって、外出する際、集中管理ユニットで各機器の運転を一括して停止状態にする操作を実行しても、集中管理制御に非対応の機器では停止状態とならず、動作状態が続くために不要なエネルギー消費が続く。
【０００６】
省エネ化の観点から、このような非対応の機器については、個別に運転状態を確認して停止状態にする必要があるが、それでは確認に手間が掛かり、停止状態にし忘れる可能性もあって、好ましいとは言えない。
【０００７】
本発明は、上記に鑑みてなされたものであって、集中管理制御に非対応の機器の運転状態を容易に確認し、機器の運転状態を停止状態にし忘れてしまうのを防止する集中管理システムを得ることを目的とする。
【課題を解決するための手段】
【０００８】
上述した課題を解決し、目的を達成するために、本発明は、集中管理制御に対応の機器の運転状態を一括して停止状態にする一括停止機能を有する集中管理システムであって、集中管理制御に非対応の機器の運転状態を監視する電流センサと、前記一括停止機能のオン操作を検出すると、前記電流センサの監視の結果に基づき、動作状態にある前記非対応の機器をリストアップ表示する集中管理ユニットとを備えることを特徴とする。
【発明の効果】
【０００９】
この発明によれば、動作状態にある集中管理制御に非対応の機器をリストアップして表示するので、集中管理制御に非対応の機器の運転状態を容易に確認し、機器の運転状態を停止状態にし忘れてしまうのを防止するという効果を奏する。
【図面の簡単な説明】
【００１０】
【図１】図１は、本発明にかかる集中管理システムの実施の形態の構成を示す図である。
【図２】図２は、集中管理ユニットによる集中管理制御に非対応の機器を登録する動作フローを示す図である。
【図３】図３は、集中管理ユニットの機器名登録画面の一例を示す図である。
【図４】図４は、一括ＯＦＦ操作する際に、集中管理制御に非対応の機器を警告表示する動作フローを示す図である。
【図５】図５は、一括ＯＦＦ操作する際に表示される警告表示画面の一例を示す図である。
【発明を実施するための形態】
【００１１】
以下に、本発明にかかる集中管理システムの実施の形態を図面に基づいて詳細に説明する。なお、この実施の形態によりこの発明が限定されるものではない。
【００１２】
実施の形態．
図１は、本発明にかかる集中管理システム１の実施の形態の構成を示す図である。図示するように集中管理システム１は、部屋Ｒ１，Ｒ２に設置されており、ＨＥＭＳまたはＢＥＭＳとして機能するものであって、機器２１〜２５と、配電線３と、電流センサ４１〜４３と、制御アダプタ５と、通信手段６１〜６３と、集中管理ユニット７とを備えている。
【００１３】
機器２１〜２５の夫々は、運転状態が動作状態または停止状態に切り替わるものである。機器２１〜２５のうち、機器２１，２２は、部屋Ｒ１に設置されており、集中管理ユニット７による集中管理制御（以下において、「集中管理制御」と称する）に対応のものであるが、機器２３〜２５は、部屋Ｒ２に設置されており、そのうち機器２３が集中管理制御に対応のものであって、機器２４，２５が集中管理制御に非対応のものである。例えば、機器２１，２３がルームエアコンであって、機器２２が床暖房器であって、機器２４がＴＶであって、機器２５が照明である。
【００１４】
配電線３は、機器２１〜２５に接続されており、図示されない一般住宅やビルの交流電源からの電力を機器２１〜２５に供給する。
【００１５】
電流センサ４１〜４３は、例えば、ＣＴ（Current Transformer）センサであり、配電線３に対して、機器２１〜２５に対応する分岐ブレーカごとに取り付けられている。電流センサ４１〜４３は、図示されない電源から、配電線３を通じて機器２１〜２５に供給される電流を計測することで機器２１〜２５の運転状態を監視し、その監視結果を無線または有線の通信手段６１で制御アダプタ５に送信する機能を備えている。この監視結果は、例えば、機器２１〜２５に供給される電流値である。図示する範囲では、電流センサ４１が機器２１の運転状態を監視し、電流センサ４２が機器２２の運転状態を監視し、電流センサ４３が機器２３〜２５の運転状態をまとめて監視し、その監視結果が通信手段６１で制御アダプタ５に送信される。
【００１６】
制御アダプタ５は、通信手段６２を介して、集中管理制御に対応の機器２１〜２３と接続されており、集中管理制御に基づき機器２１〜２３の運転状態を動作状態または停止状態に切り替える機能を有する。また、制御アダプタ５は、電流センサ４１〜４３による機器２１〜２５の監視結果を通信手段６１を通じて受信すると、その監視結果を無線の通信手段６３によって集中管理ユニット７に送信する機能を有する。
【００１７】
集中管理ユニット７は、例えば、タブレット型端末であり、制御アダプタ５から送信される機器２１〜２５の監視結果に基づき、機器２１〜２５の運転状態を判別し、無線の通信手段６３によって制御アダプタ５を制御し、機器２１〜２３に対する集中管理制御を行うことができる。この集中管理制御には、機器２１〜２３の運転状態を、一括して動作状態にする一括ＯＮ機能のオン操作および一括して停止状態にする一括停止機能のオン操作（以下において、「一括ＯＦＦ操作」と称する）が含まれる。集中管理ユニット７は、機器２１〜２３を停止状態にする一括ＯＦＦ操作がなされた場合、一括ＯＦＦ操作の対象とはならない機器２４，２５の監視結果に基づき、運転状態にある機器２４，２５をリストアップして表示する。
【００１８】
図２は、集中管理ユニット７による集中管理制御に非対応の機器２４，２５を登録する動作フローを示す図である。まず、部屋Ｒ１，Ｒ２に集中管理システム１を施工する時に、集中管理ユニット７を電流センサ登録モードに設定する（ステップＳ１）。続いて、集中管理ユニット７において、集中管理制御に非対応の機器２４，２５に対応する電流センサ４３を選択し（ステップＳ２）、選択した電流センサ４３に対応する機器２４，２５の夫々の機器名を登録する（ステップＳ３）。集中管理制御に非対応の機器を監視する電流センサが他に存在すると判断される場合（ステップＳ４：Ｎｏ）、ステップＳ２，Ｓ３を繰り返して機器名の登録を行う。このようにして、集中管理制御に非対応の機器の機器名を全て集中管理ユニット７に登録することによって、集中管理ユニット７は、集中管理制御に非対応の機器の機器名が電流センサ毎に登録されている登録情報を有することになる。なお、集中管理制御に対応の機器２１〜２３についても、ステップＳ１〜Ｓ４と同様の要領で集中管理ユニット７に機器名を登録することができる。
【００１９】
図３は、集中管理ユニット７の機器名登録画面の一例を示す図である。図示するとおり、集中管理ユニット７は、機器名登録画面を表示する表示画面７１を備える。例えば、図３において、画面左上に表示の「ＣＴセンサ（３）」が電流センサ４３に相当し、「機器名」欄に表示の「寝室エアコン」が機器２３に相当し、「寝室ＴＶ」が機器２４に相当し、「寝室照明」が機器２５に相当する。これら機器２３〜２５の他にも電流センサ４３で運転状態を監視できる機器が存在する場合には、「機器名」欄の下方にある「追加」を選択することで、集中管理ユニット７に電流センサ４３に対応する機器名を追加登録することができる。
【００２０】
さらに、表示画面７１の表示内容として、「ＥＭＳ（Energy Management System）対応」欄および「一括ＯＦＦ時消し忘れチェック」欄が含まれている。「ＥＭＳ」欄は、集中管理ユニット７の登録情報として、集中管理制御の対応の有無を登録する欄であって、「対応する」または「対応しない」を選択することができる。「一括ＯＦＦ時消し忘れチェック」欄は、集中管理ユニット７の登録情報として、一括ＯＦＦ操作時に表示画面７１に集中管理制御に非対応の機器をリストアップして表示するか否かを登録するための欄であって、「ＥＭＳ」欄で「対応しない」と登録された機器についてのみ、「チェックする」または「チェックしない」の一方を選択することができる。図示の表示内容では、「寝室エアコン」は、集中管理制御に対応するため、「ＥＭＳ対応」の欄で「対応する」と選択されており、「一括ＯＦＦ時消し忘れチェック」欄での選択ができない状態となっている。これに対して、「寝室ＴＶ」および「寝室照明」は、集中管理制御に非対応であって、「ＥＭＳ対応」の欄で「対応しない」と選択されており、「一括ＯＦＦ時消し忘れチェック」欄での選択が可能な状態となっている。そして、「寝室ＴＶ」については、「チェックしない」が選択されており、「寝室照明」については、「チェックする」が選択されている。
【００２１】
上述した機器名登録画面での設定操作を完了する場合には、表示画面７１の最下段にある「設定」を選択すればよく、一方、設定操作を完了せずに機器名登録画面の表示を終了する場合には「キャンセル」を選択すればよい。
【００２２】
図４は、一括ＯＦＦ操作する際に、集中管理制御に非対応の機器２４，２５を警告表示する動作フローを示す図である。集中管理ユニット７には、機器２１〜２５の機器名が
集中管理制御の対応の有無と共に正しく登録されており、集中管理制御に非対応の機器２４，２５が一括ＯＦＦ操作時に表示画面７１にリストアップして表示される旨が登録されていることを前提として、この動作フローを説明する。集中管理ユニット７は、機器２１〜２５ごとに集中管理制御に対応の有無が登録されることによって、集中管理制御に対応の機器２１〜２３および非対応の機器２４，２５を区別する。まず、集中管理システム１は、通常モードにあり、集中管理ユニット７で、制御アダプタ５から送信される機器２１〜２５の監視結果、例えば、電流センサ４１〜４３の計測した機器２１〜２５に供給される電流値を検知する（ステップＳ５）。続いて、集中管理システム１は、集中管理ユニット７で機器２１〜２５の監視結果に基づき、機器２１〜２５の運転状態が、動作状態または停止状態にあるのかを判別する（ステップＳ６）。続いて、外出する際など、集中管理ユニット７によって、機器２１〜２３の運転状態を一括して停止状態にする一括ＯＦＦ操作が行われる場合（ステップＳ７）、集中管理ユニット７で一括ＯＦＦを検出すると、集中管理システム１は、外出モードに切り替わり、集中管理ユニット７は、登録情報に基づき、ステップＳ６で動作状態にあると判別された集中管理制御に対応の機器２１〜２３を一括して停止状態にする（ステップＳ８）とともに、ステップＳ６で動作状態にあると判別された集中管理制御に非対応の機器２４，２５をリストアップし（ステップＳ９）、そのリストアップした機器２４，２５の機器名を集中管理ユニット７の表示画面７１に表示し、機器２４，２５が動作状態にある旨を警告する（ステップＳ１０）。なお、集中管理システム１は、一括ＯＦＦ操作を受けない場合（ステップＳ７）、ステップＳ５，Ｓ６を繰り返す。
【００２３】
図５は、一括ＯＦＦ操作する際に、ステップＳ１０において表示される警告表示画面の一例を示す図である。「センサ番号」欄に表示の「ＣＴセンサ（３）」は、電流センサ４３に相当し、「機器名」欄に表示の「寝室ＴＶ」が機器２４に相当し、「寝室照明」が機器２５に相当する。これら「寝室ＴＶ」および「寝室照明」は、図４のステップＳ６で動作状態にあると判別されたために、表示画面７１において「消し忘れている機器があります」と警告表示されている。集中管理ユニット７は、登録情報として、図３に示す「一括ＯＦＦ時消し忘れチェック」欄で動作状態にある集中管理制御に非対応の機器をリストアップして表示画面７１に表示するか否かを設定できるが、「寝室ＴＶ」および「寝室照明」を図５に示す警告表示の対象とするためには、これら機器について「一括ＯＦＦ時消し忘れチェック」欄で「チェックする」が選択されている必要がある。
【００２４】
以上のように、本実施形態によれば、集中管理システム１は、集中管理制御に非対応の機器２４，２５の運転状態を監視する電流センサ４３と、集中管理制御に対応の機器２１〜２３の運転状態を一括して停止状態にする一括停止機能のオン操作を検出すると、電流センサ４３の監視の結果に基づき、動作状態にある機器２４，２５をリストアップ表示する集中管理ユニット７とを備えるので、外出する際、集中管理制御に非対応の機器２４，２５を容易に特定して、その運転状態を容易に確認することができる。したがって、機器２４，２５を停止状態にするまでの時間が短縮されるとともに、機器２４，２５を停止状態にし忘れてしまうことを防止でき、部屋Ｒ１，Ｒ２の効率的な省エネが実現される。
【産業上の利用可能性】
【００２５】
以上のように、本発明にかかる集中管理システムは、機器の運転状態を停止状態にし忘れてしまうのを防止することに有用である。
【符号の説明】
【００２６】
１  集中管理システム、２１〜２５  機器、３  配電線、４１〜４３  電流センサ、５  制御アダプタ、６１〜６３  通信手段、７  集中管理ユニット、７１  表示画面。
【図１】
2016019150.tif 000003
【図２】
2016019150.tif 000004
【図３】
2016019150.tif 000005
【図４】
2016019150.tif 000006
【図５】
2016019150.tif 000007